(57)【要約】  本発明は、主として、電気機械のブラシ（２５）のためのハウジングとして有用なブラシホルダのためのブラシ箱（２３）に関する。本発明によれば、前記ブラシ箱（２３）が、土台（６０）へと接続されたブラシの案内のための下側部分（５６）と、ブラシの案内のための上側部分（５８）とを備え、前記下側および上側の案内部分（５６、５８）は、ブラシ（２５）の前面（３５）側および後面側において開いている。前記下側および上側の案内部分（５６、５８）は、ブラシ（２５）の編組の通過を可能にする空間（６１）によって互いに隔てられている。
2015532572.tif 000002
【特許請求の範囲】
【請求項１】
電気機械のブラシ（２５）のためのレセプタクルとして機能するブラシホルダのためのブラシケージ（２３）であって、
前記ブラシの案内のための第１の部分（５６）と、前記ブラシの案内のための第２の部分（５８）とを備えており、該第１および第２の案内部分は、集電体に当接して支持されるように設計された前記ブラシ（２５）の前面（３５）側において、および、ばねが当接して支持されるように設計された前記ブラシ（２５）の後面（３８）側において、開いており、
前面の端部まで前記ブラシ（２５）の編組の通過を許容するために、前記第１および第２の案内部分の間に少なくとも１つの空間（６１）を備える
ことを特徴とするブラシケージ。
【請求項２】
前記空間は、２つの側壁を隔てる当該ブラシケージの側面に位置している、請求項１に記載のブラシケージ。
【請求項３】
前記空間は、２つの水平壁を隔てる当該ブラシケージの水平面に位置している、請求項１に記載のブラシケージ。
【請求項４】
前記第１の部分は、互いに平行な２つの側壁（５６１）によって形成された下側の案内部分（５６）であり、前記第２の部分は、互いに平行な２つの側壁（５８１）によって形成された上側の案内部分（５８）であり、前記２つの側壁は、少なくとも水平壁（５８２）によって互いに接続されている
ことを特徴とする請求項１または２に記載のブラシケージ。
【請求項５】
前記第１および第２の案内部分を互いに接続する２つのフラップ（５７）を備えており、各々のフラップ（５７）は、前記ブラシ（２５）の前記編組の、前記電気機械の集電体のできるだけ近くまでの移動を許容するために、前記第１および第２の案内部分の間の前記空間（６１）の延長に位置する開口（５７１）を有している
ことを特徴とする請求項１から４のいずれか一項に記載のブラシケージ。
【請求項６】
前記第１の案内部分と前記第２の案内部分との間の前記空間の寸法（Ｄ１）は、当該ブラシケージ（２３）の後方から前方へと向かう移動が生じる時に減少する傾向を有している
ことを特徴とする請求項１から５のいずれか一項に記載のブラシケージ。
【請求項７】
前記第１および第２の部分の一方に接続された支持部（６０）を備えており、前記支持部は、前記ブラシホルダ（２１）の本体（２２）上における当該ブラシケージ（２３）の固定のための少なくとも１つのシステム（６２）を有している
ことを特徴とする請求項１から６のいずれか一項に記載のブラシケージ。
【請求項８】
前記固定システム（６２）は、それぞれの端部の高さにおいて互いに向かって折り返されたフックを形成している２つの枝部（６３）を有している
ことを特徴とする請求項７に記載のブラシケージ。
【請求項９】
らせんばね（４２）の保持のための少なくとも１つのシステム（６７）を備えている
ことを特徴とする請求項１から７のいずれか一項に記載のブラシケージ。
【請求項１０】
前記保持システム（６７）は、２つの部分を有するピン（７７）によって形成され、前記ピン（７７）の前記２つの部分は、該２つの部分の間の連結部の高さに肩部を定める異なる断面を有している
ことを特徴とする請求項９に記載のブラシケージ。
【請求項１１】
前記保持システム（６７）は、３つの歯（６８〜７０）を備えており、他の２つの歯（６８、６９）の間に位置する１つの歯（７０）は、前記他の２つの歯が位置する平面に対してオフセットされた平面に位置決めされている
ことを特徴とする請求項９に記載のブラシケージ。
【請求項１２】
電気機械のためのブラシホルダ（２１）であって、
本体（２２）と、
前記本体（２２）上に固定された請求項１〜１１のいずれか一項に記載の少なくとも１つのブラシケージ（２３）と、
前記ブラシケージ（２３）の内部に位置決めされたブラシ（２５）と、
前記ブラシに接続された接続編組と、
前記ブラシと前記本体との間に力を作用させるように適合されたばね（４２）と
を備えており、
前記ばねは、前記ブラシ（２５）の前記後面に接触し、前記編組は、前記ブラシの前記第１および第２の部分の間の前記空間に面する前記ブラシの表面に接続されている
ことを特徴とするブラシホルダ。
【請求項１３】
前記ブラシ（２５）は、該ブラシの前記後面に設けられた凹部（５０）の底によって定められる２つの支持面（３９）を備えており、前記編組は、前記２つの凹部の間において前記ブラシに接続されている
ことを特徴とする請求項１２に記載のブラシホルダ。
【請求項１４】
前記ばね（４２）は、らせん式であり、「Ｕ」の形態に折り曲げられた端部（７２）と、互いに対向する前記「Ｕ」の幹の一方からそれぞれ導出された２組のらせん（７３）とを有しており、各組のらせん（７３）は、前記ブラシの表面に当接して支持されるように設計された返し（７５）を有するアーム（７４）で終端している
ことを特徴とする請求項１２または１３に記載のブラシホルダ。
【請求項１５】
前記ばね（４２）は、らせん式であり、自身の周りに巻き付けられた平坦な帯からなる複数の実質的に同心のらせんによって形成された巻き部分（８０）を備えており、前記巻き部分（８０）は、前記ブラシ（２５）の表面に当接して支持されるように設計された少なくとも１つのアーム（８２）によって延ばされた平坦な端部（８１）で終端している
ことを特徴とする請求項１２から１４のいずれか一項に記載のブラシホルダ。
【発明の詳細な説明】
【技術分野】
【０００１】
本発明は、電気機械のブラシホルダのためのブラシケージ（ケースとしても知られる）、ならびに対応するブラシホルダに関する。
【０００２】
本発明は、これに限られるわけではないが、自動車のスタータに使用される電気機械において特に好都合な適用を有する。特に、本発明は、燃料を節約するために車両の熱機関を交通条件（特に、赤信号での停止時）の理由で停止させ、後に再始動させる熱機関の始動および再始動の機能（いわゆる、スタート／ストップ機能）を備える車両において使用されるスタータにおいて実施される。
【背景技術】
【０００３】
特に自動車の熱機関の始動のために、自身の回転エネルギを駆動クラウンによって熱機関のクランクシャフトへと伝えることができるランチャを備えるスタータの形態の回転電気機械を使用することが知られている。
【０００４】
コンタクタの可動ロッドへと接続されたレバーによって動かされるこのランチャは、妥当であれば減速機を介して、電気機械の出力シャフトに装着される。
【０００５】
電気機械は、ヘッドと、通常はフェライトで製作される複数の永久磁石を備える磁化構造とで構成されるスタータまたはインダクタを備える。さらに機械は、ロータまたは電機子を備え、ロータは、ロータの巻線を形成する導体を備えている。この目的のため、積層板で形成されたコアを備えるロータは、歯部によって隔てられた長手方向の切り欠きを有し、導体がこれらの切り欠きの内部に挿入されている。
【０００６】
さらに機械は、ロータの導体における電流を切り替えることによってロータへの電気の供給を可能にするために、導電性材料で製作されてブラシホルダの内部に位置決めされる少なくとも２つのブラシを備える。
【０００７】
この目的のため、各々のブラシは、ロータの巻線へと接続された導電プレート（絶縁体が設けられたすき間によって隔てられている）を有する集電体に対して摺動するように設計された前面を有する本体を備える。さらにブラシは、編組として知られる導電性要素の端部へと接続された固定領域を備える。一方の編組が、一方のブラシへの電気の供給を保証する一方で、他方の編組が、スタータの金属ハウジングを介して他方のブラシの接地を保証する。
【０００８】
ブラシと集電体のプレートとの間の接触を保証するために、スタータのカバーに対して支持されたばねが、各々のブラシの本体に集電体の方向の力を作用させる。
【０００９】
スタート／ストップ型のシステムにおいて使用されるスタータの動作サイクル数はきわめて多いため、ブラシケージおよびブラシホルダの既存の構成を、ブラシの寿命を延ばすように改良する必要性が存在する。
【発明の概要】
【００１０】
本発明の目的は、電気機械のブラシのためのレセプタクルとして機能するブラシホルダのためのブラシケージであって、集電体に当接させて支持されるように設計されたブラシの前面と、ばねを当接させて支持するように設計されたブラシの後面と、前面の端部までブラシの編組を通すことができるように前面を後面へと接続するこれらの表面のうちの少なくとも１つに位置する第１および第２の案内部分の間の空間とを備えるブラシケージを提案することによって、この必要性を満たすことにある。
【００１１】
このようにして、このブラシケージは、編組までのブラシの摩耗を許容する。ブラシケージが、ブラシの有効距離を増やすことによってブラシの寿命の向上を可能にしつつ、編組が集電体に触れることがないようにストッパを備えることができることを、理解できるであろう。例えば、ストッパを、編組が集電体から所定の距離（例えば、０．５ｍｍ）に位置したときにストッパに接触するように位置させることができる。
【００１２】
したがって、電気機械のブラシのためのレセプタクルとして使用されるブラシケージは、ブラシを案内するための第１の部分と、ブラシを案内するための第２の部分とを備え、これら第１および第２の案内部分は、集電体に当接して支持されるように設計されたブラシの前面の側において、および、ばねが当接して支持されるように設計されたブラシの後面の側において、開いており、このブラシケージは、前面の端部までブラシの編組の通過を許容するために、第１の案内部分と第２の案内部分との間に少なくとも１つの空間を備えている。
【００１３】
一実施形態によれば、空間は、２つの側壁を隔てるブラシケージの側面に位置する。
【００１４】
一実施形態によれば、空間は、２つの水平壁を隔てるブラシケージの水平面に位置する。  
【００１５】
一実施形態によれば、第１の部分は、互いに平行な２つの側壁によって形成された下側の案内部分であり、第２の部分は、互いに平行な２つの側壁によって形成された上側の案内部分であり、２つの側壁は、少なくとも水平壁によって互いに接続されている。
【００１６】
一実施形態によれば、ブラシケージは、前面の端部までブラシの編組の通過を許容するために、第１および第２の部分の輪郭を形成するこれらの表面の２つの対向する面に、第１および第２の案内部分の間の２つの空間を備える。
【００１７】
一実施形態によれば、ブラシケージは、第１および第２の案内部分を互いに接続する２つのフラップを備え、各々のフラップは、ブラシの編組の、電気機械の集電体のできるだけ近くまでの変位を許容するために、第１および第２の案内部分の間の空間の延長に位置する開口を備える。
【００１８】
これは、ブラシの編組を、電気機械の集電体に触れさせることなく集電体の可能なかぎり近くまで変位させることを可能にする。さらに、電気機械を保護するために電気アークをブラシと集電体との間に封じ込めることを可能にする。
【００１９】
一実施形態によれば、第１の案内部分と第２の案内部分との間の空間の寸法は、ブラシケージの後方から前方へと向かう移動が生じる時に減少する傾向を有する。
【００２０】
一実施形態によれば、ブラシケージは、第１および第２の部分の一方に接続された支持部を備え、この支持部は、ブラシケージをブラシホルダの本体上に固定するための少なくとも１つのシステムを備える。
【００２１】
一実施形態によれば、固定システムは、それぞれの端部の高さにおいて互いに向かって折り返されたフックを形成している２つの枝部を備える。
【００２２】
一実施形態によれば、ブラシケージは、らせんばねの保持のための少なくとも１つのシステムを備える。
【００２３】
一実施形態によれば、保持システムは、ピンによって形成される。
【００２４】
一実施形態によれば、ピンは、実質的に矩形の断面を有する。
【００２５】
一実施形態によれば、ピンは、断面が異なる２つの部分を有しており、この断面の相違により、２つの部分の間の連結部の高さに肩部が定められる。
【００２６】
一実施形態によれば、保持システムは、３つの歯を備え、他の２つの歯の間に位置する１つの歯は、他の２つの歯が位置する平面に対してオフセットされた平面に位置決めされる。
【００２７】
さらに本発明は、電気機械のためのブラシホルダであって、本体と、該本体上に固定された本発明による少なくとも１つのブラシケージと、ブラシケージの内部に配置されたブラシと、ブラシへと接続された接続編組と、ブラシと本体との間に力を作用させるように適合されたばね（４２）とを備えており、ばねは、ブラシ（２５）の後面に接触し、編組は、ブラシの第１および第２の部分の間の空間に面するブラシの表面へと接続されていることを特徴とするブラシホルダに関する。一実施形態によれば、ブラシは、該ブラシの後面に設けられた凹部の底によって定められる２つの支持面を備え、編組は、これら２つの凹部の間においてブラシへと接続される。
【００２８】
一実施形態によれば、ばねは、らせん式であり、「Ｕ」の形態に折り曲げられた端部と、互いに面する「Ｕ」の幹の一方からそれぞれ導出された２組のらせんと、を有し、各組のらせんは、ブラシの表面に当接して支持されるように設計された返しを有するアームで終端している。
【００２９】
一実施形態によれば、ばねは、らせん式であり、平坦な帯を自身へと巻き付けてなる複数の実質的に同心のらせんによって形成された巻き部分を備え、巻き部分は、ブラシの表面に当接して支持されるように設計された少なくとも１つのアームによって延ばされた平坦な端部で終端している。
【００３０】
本発明は、以下の説明を読み取り、添付の図面を検討することによって、よりよく理解されるであろう。これらの図は、決して本発明を限定するものではない本発明の例示として提示されているにすぎない。
【図面の簡単な説明】
【００３１】
【図１ａ】実施形態斜視図を示している。
【図１ｂ】本発明によるブラシホルダの第１の実施形態の上面図を示している。
【図２ａ】ブラシが摩耗したときの図１のブラシホルダの斜視図を示している。
【図２ｂ】ブラシが摩耗したときの図１のブラシホルダの上面図を示している。
【図３】本発明によるブラシホルダにおいて使用される異なる有効距離を有する２つのブラシの上方からの図を示している。
【図４ａ】本発明によるブラシケージの前方からの斜視図を示している。
【図４ｂ】本発明によるブラシケージの後方からの斜視図を示している。
【図４ｃ】本発明によるブラシケージの正面図を示している。
【図５ａ】本発明によるブラシホルダの第２の実施形態の斜視図を示している。
【図５ｂ】本発明によるブラシホルダの第２の実施形態の上面図を示している。
【図５ｃ】本発明によるブラシホルダの第２の実施形態の側面図を示している。
【図６】本発明によるブラシホルダの第１の実施形態に使用されるらせんばねの詳細図を示している。
【図７】本発明によるブラシケージと組み合わせて使用することができる別の種類のブラシの上面図を示している。
【発明を実施するための形態】
【００３２】
同一、同様、または類似の構成要素は、或る図と別の図とで同じ参照符号をそのまま有している。
【００３３】
図１ａ、図１ｂ、図２ａ、図２ｂ、および図５ａ〜図５ｃが、本体２２と、本体２２上に固定され、ブラシ２５のためのレセプタクルとして機能する少なくとも１つのケース２３とを備える本発明によるブラシホルダ２１を示している。この場合、ブラシホルダは、２つのブラシケージを備えることができる。部分図に相当する図面においては、ブラシケージまたはケース２３を、１つだけ見て取ることができる。各々のブラシ２５が、図３に見て取ることができる電気機械のロータの集電体２７と協働するために、ブラシケージ２３の内部に軸方向にスライドするように取り付けられている。この目的のため、アームを備えるらせんばね４２が、プラスチック材料などの電気絶縁材料で作られた集電体の本体によって支持された集電体２７の接点プレート２６に向かってブラシ２５を押そうとする。電気機械は、例えば自動車のスタータの機械である。変種として、電気機械は、オルタネータまたはオルタネータ−スタータの形態であってもよい。
【００３４】
より具体的には、図１ａ、図２ａ、および図５ｃに明瞭に見て取ることができるとおり、ブラシホルダの本体２２は、導電性材料で作られた支持プレート２８と、絶縁材料で製作されて支持プレート２８の両側に配置された２つの部品３０とを備える。この本体２２は、集電体２７を通すための中央穴３２（図５ａを参照）を有している。
【００３５】
本体２２は、例えばねじ（図示せず）によってスタータのカバーへと固定できるように、開口を備えている。
【００３６】
さらに、図３に詳しく示されている各々のブラシ２５は、集電体２７の接点プレート２６に対して摺動するように設計された前面として知られる表面３５を備える実質的に平行六面体の形態を有する本体３４を備えている。前面３５の反対側の後面３８が、本体３４へと集電体２７の方向に力を作用させるように設計されたばね４２のための２つの支持面３９を備えている。より具体的には、以下で説明されるとおり、ばね４２は、ブラシ２５の支持面３９に接触するように設計されたアーム７４または８２を備えるらせんばねである。
【００３７】
さらに、本体３４は、接続編組４５として知られる導電性要素の端部との固定のための領域４４を備えている。編組４５の固定領域４４は、前面３５および後面３８に垂直な本体３４の側面において、２つの支持面３９の間に位置している。２つの支持面３９は、固定領域４４の両側に設けられた凹部５０の底に相当する。したがって、固定領域４４は、図面においてはばね４２のアームの案内を促進するために「Ｖ」の形態である凹部５０によって境界付けられた突出部に位置している。
【００３８】
図３の下方に示されているブラシ２５においては、編組４５の固定の領域４４が、ブラシ２５の前面３５の反対側において、支持面３９の後部に位置している。換言すると、上方から見たときに、接続の領域４４を含むブラシ２５の面の表面が、支持面３９を通る直線によって分けられる２つの空間に区切られる場合、接続の領域４４の少なくとも一部が、後面３８の側に位置する空間の側にある。
【００３９】
図３の上方に示されているブラシ２５においては、編組４５の固定の領域４４が、完全に支持面３９よりも後ろに位置する。この場合、支持面３９とブラシ２５の前面３５との間の短い方の距離ＤＳが、ブラシ２５の有効距離ＤＦに等しい。この距離ＤＦは、前面３５と、固定領域４４の、前面３５に最も近い端部との間の小さい方の距離に相当する。
【００４０】
ブラシ２５のこの種の構成が、有効距離ＤＦの最大化を可能にし、したがってブラシ２５の寿命の延長を可能にすることに、注目することができる。
【００４１】
一方のブラシ２５の編組４５が、このブラシ２５を、この場合にはブラシホルダの本体２２の支持プレート２８に固定された金属ラグ４８を介してカバーへと電気的に接続する（図１ａを参照）。この目的のため、編組４５は、好都合には、ラグ４８への溶接を容易にするために銅または銅合金で製作される。したがって、この編組は、スタータの金属ハウジングを介した接地を保証する。他方のブラシ（図示せず）に一体化されたもう１つの銅製の編組４５は、この他方のブラシ２５を、妥当であればスタータのコンタクタの端子を介して電気の供給へと電気的に接続する。
【００４２】
図４ａ〜図４ｃに明瞭に見て取ることができるとおり、各々のブラシケージ２３は、支持部６０へと接続され、ブラシを案内する下部５６と、ブラシを案内する上部５８とを備えている。下側の案内部５６が、互いに平行かつ支持部６０へと接続された２つの側壁５６１によって形成される一方で、上側の案内部５８は、互いに平行かつ上壁５８２によって互いに接続された２つの側壁５８１によって形成されている。これらの部位５６および５８は、ブラシ２５の前面３５および後面３８の側において開いている。下側および上側の案内部５６および５８は、ブラシ２５の編組を通すことができるように、空間６１によって互いから隔てられている。図４ｂに見て取ることができるとおり、上壁５８２に垂直な方向に測定したときの部位５６および５８の間の空間６１の寸法Ｄ１は、ブラシケージ２３の後方から前方へと向かうにつれて減少する傾向を有している。２つの部位５６、５８の間の距離を変化させるために、空間６１を境界付ける側壁５６１、５８１の縁は、２つの部位５６、５８の間の距離が一定である２つの領域の間を延びる斜面の形態である。側面５６１、５８１の縁の斜面は、ブラシケージ２３の水平な中央面に関して対称である。あるいは、側壁５６１、５８１は、図１ａ、図２ａ、および図５ａに示されるように「Ｌ」の形態である。
【００４３】
さらに、図４ａ〜図４ｃにおいて明瞭に見て取ることができるとおり、各々のブラシケージ２３は、下側および上側の案内部５６および５８を互いに接続する２つのフラップ５７を備えている。これらのフラップ５７は、部位５６および５８の側壁５６１、５８１の鉛直な縁に沿って、ブラシ２５の前面３５側に位置している。図４ａ〜図４ｃにおいて、各々のフラップ５７は、側壁５６１、５８１に垂直に延びる第１の部位と、ブラシ２５の後面３８に向かって折り返された第２の部位とを有している。図１ａ、図１ｂ、図２ａ、および図２ｂにおいて、フラップ５７は、集電体２７の外周の湾曲に従うように、ブラシケージ２３の両側において実質的に周状に延びている。
【００４４】
各々のフラップ５７は、集電体２７の可能な限り近くまでブラシ２５の編組４５の変位を可能にするために、空間６１の延長に位置する開口５７１を備えている。これにより、ブラシ２５の使用可能な長さが最大化される。図４ｃに示されるとおり、ブラシケージ２３の正面図において、各々の開口５７１は、上壁５８２に垂直な方向および側面５６１、５８１に垂直な方向に従って延びている。この場合、開口５７１は矩形の形態を有するが、変種として、円弧の形態などの任意の他の形態を有することもできる。これは、想定される用途に依存する。
【００４５】
図４ａ〜図４ｃに見て取ることができるとおり、支持部６０は、下側の案内部５６の側面５６１の下縁にそれぞれ接続された２つの部分６０１、６０２からなる。
【００４６】
各部分６０１、６０２は、ブラシケージ２３をブラシホルダ２１の本体２２に固定するためのシステム６２を備えている。各々の固定システム６２は、それぞれの端部の高さにおいて互いに向かって折り返されたフックを形成する２つの枝部６３によって形成されている。より詳しくは、図５ｃに明瞭に見て取ることができるとおり、支持部６０の前縁および後縁から出た枝部６３が、本体２２を厚さ方向に貫き、本体の支持プレート２８に対してそれぞれの端部において互いに向かって折り返されている。このように、側面図において、１つの固定システム６２の枝部は、「Ｃ」の形態を有し、２つの枝部６３の「Ｃ」の空洞が互いに向かい合っている。
【００４７】
図４ａ〜図４ｃの実施形態において、支持部６０の各々の部分６０１、６０２は、図６に詳しく示されているばね４２が周囲に配置される実質的に矩形の断面を有するピン７７によって形成された、らせんばねの保持のためのシステム６７を備えている。ピン７７は、断面が異なる２つの部分を有しており、この断面の相違により、２つの部分の間の連結部の高さに肩部が定められている。したがって、ばね４２の内側部分を肩部に対して支持し、ばね４２の正確な位置決めを保証することができる。代案においては、図１ａ、図１ｂ、図２ａ、および図２ｂに示されるように、支持部６０は、ただ１つの保持システム６７を備える。
【００４８】
図６に示されるとおり、ばね４２は、平坦な金属帯を自身へと巻き付けてなる複数の実質的に同心のらせんによって形成された巻き部分８０を備える。巻き部分８０は、帯の平坦な端部８１で終端する。この平坦な端部８１は、互いに平行かつブラシの後面の支持面３９に対して支持されるように設計された２つのアーム８２によって延長されている。これらのアーム８２は、それぞれ平坦な端部８１の一方の縁の延長に位置している。
【００４９】
各々のアーム８２は、ばねの平坦な端部８１の平面上を延びている第１の直線部分８４と、巻き部分８０から離れる方向に延びている第２の直線部分８５とを備えている。直線部分８５は、丸みを帯びた形態を有する折り曲げ部９１によって部分８４へと接続されている。また、直線部分８５は、丸みを帯びた形態を有する第２の折り曲げ部９２によって第３の直線部分８６へと接続されている。一実施形態によれば、直線部分８４が、直線部分８５と約９０°の角度Ａを形成する一方で、直線部分８６が、直線部分８５と約１３５°の角度Ｂを形成する。
【００５０】
アーム８２のこの種の構成は、ブラシ２５の摩耗の状態にかかわらずに、ブラシ２５の後面３８に対するばねのアーム８２のための良好な支持面を保証することを可能にする。実際、図１ｂに明瞭に見て取ることができるとおり、ブラシ２５が未だ摩耗していないとき、折り曲げ部９２が、ブラシ２５の後面３８に対するばね４２のアーム８２の接触を保証する。ブラシ２５が摩耗し、アーム８２が回転にて移動したとき（図２ｂを参照）、直線部８６が、ブラシ２５の後面３８に対するばね４２のアーム８２の接触を保証する。
【００５１】
アーム８２を製造するために、材料のうちの矩形の形態を有する一部分が、互いに平行かつ帯の端部と一緒に「Ｕ」の形状を形成する直線部分を得るように、帯の平坦な端部から除去される。次いで、これらの部分が、必要とされるアーム８２の形態に応じて折り曲げられる。
【００５２】
あるいは、図５ａ〜図５ｃの実施形態においては、ばね４２の保持のためのシステム６７が、３つの歯６８〜７０によって形成され、歯６８〜７０の間にさらに詳しく後述されるばね４２の端部が保持される。２つの歯６８、６９が、同じ平面に位置する一方で、第３の歯７０は、第１の２つの歯６８、６９の間に位置する。加えて、歯７０は、歯６８および６９に対して持ち上げられ、すなわち２つの歯６８および６９に対してオフセットされた平面に位置決めされる。
【００５３】
この実施形態において、らせんばね４２は、小さな直径を有する金属線から形成される。図５ａおよび図５ｃに見て取ることができるとおり、ばね４２は、システム６７の歯６８〜７０の間に配置される「Ｕ」の形態に折り曲げられた端部７２と、互いに面する「Ｕ」の幹の一方からそれぞれ導出された２組のらせん７３とを有する。歯６８〜７０の周囲に配置された各組のらせん７３は、図５ａに見て取ることができ、ブラシ２５の支持面３９に対して支持されるように設計された返し７５を有するアーム７４で終端している。
【００５４】
本発明によるブラシホルダ２１の種々の構成要素の組み立てを、以下で説明する。
【００５５】
第１の段階において、ブラシケージ２３が、固定システム６２によってブラシホルダの本体２２上に固定される。次いで、ブラシ２５が、後方からブラシケージ２３の内部に配置される。
【００５６】
らせんばね４２の構成に応じて、らせんばね４２は、ばねのアームをブラシ２５の後ろ側に当接させて支持するように設計された保持システム６７上の位置へと配置される。
【００５７】
このようにして、図１および図２の実施形態においては、ばね４２の巻き部分８０が、巻き部分の端部がピン７７の肩部に当接して支持されるように、ピン７７の周囲に配置される。ばね４２のアーム８２が、ブラシ２５の支持面３９に当接して位置するように、回転にて変位させられる。アーム８２のこの種の変位は、ブラシ２５の後面３８に当接させて支持されたアーム８２がブラシ２５を集電体２７の方向に押すように、ピン７７によって保持された巻き部分８０を変形させようとする。
【００５８】
図５ａ〜５ｃの実施形態においては、「Ｕ」の形態のばね４２の端部７２が、保持システム６７の歯６８〜７０の間に配置される。アーム７４が、アーム７４によってブラシ２５が集電体２７の方向に押されるように、図５ａに見て取ることができる返し７５を介してブラシ２５の支持面３９に当接するように配置および支持される。
【００５９】
どちらの場合も、ブラシ２５の平行移動における案内は、ブラシケージ２３の下側および上側部分５６および５８の側壁２６１、２８１、上側部分５８の上壁５８２、ならびにブラシ２５を支持する本体２２の表面によって保証される。この場合に、図５ａに見て取ることができるとおり、ブラシ２５は、本体２２の上面に設けられた溝６５の底に当接して支持される。
【００６０】
当業者であれば、本発明の文脈から外れることなく、図面に示したブラシケージ２３およびブラシホルダ２１の構成を変更できることを、理解できるであろう。すなわち、特に変種として、ブラシ２５は、自身の後面３８に支持面３９を１つだけしか備えず、その場合には、アームを１つしか持たないばねを使用することができる。
【００６１】
変種として、ブラシ２５は、図７に示される従来の平行六面体の形態を有し、編組は、固定領域４４を介して上述のようにブラシ２５の側面に固定される。ブラシケージ２３の構成は、支持面３９を形成するための凹部５０を持たないこの種のブラシ２５の有用な寿命の最大化を可能にする。
【００６２】
図３に示されるとおり、らせんばね４２を、ブラシ２１を集電体２７のプレート２６へと押し付けるためのカバー９８上に支持された筒状ばね４２’によって置き換えることができる。
【００６３】
変種としては、ブラシケージ２３がフラップ５７を備えず、したがって側壁５６１、５８１が、ブラシ２５の前面側において互いに接続される。変種としては、フラップ５７が開口５７１を備えない。
【００６４】
特定の実施形態において述べられた特定の特徴を、別の実施形態へと困難なく移すことができることも、明らかである。
【００６５】
本明細書において、「下」、「上」、「水平」、または「垂直」などの種類の相対的な用語は、図１ａ、図２ａ、図４ａ〜図４ｃ、および図５ｃに示されるように平坦な支持部上に下側の案内部５６を支持部の最も近くに位置させ、上側の案内部５８を支持部から最も遠くに位置させつつ、支持されたブラシケージ２３を基準にして解釈される。ブラシケージ２３の「後」部および「前」部は、それぞれ集電体２７に当接して支持されるように設計されたブラシ２５の前面３５側およびばね４２のアームを当接させて支持するブラシ２５の後面３８側に位置する。
【図１ａ】
2015532572.tif 000003
【図１ｂ】
2015532572.tif 000004
【図２ａ】
2015532572.tif 000005
【図２ｂ】
2015532572.tif 000006
【図３】
2015532572.tif 000007
【図４ａ】
2015532572.tif 000008
【図４ｂ】
2015532572.tif 000009
【図４ｃ】
2015532572.tif 000010
【図５ａ】
2015532572.tif 000011
【図５ｂ】
2015532572.tif 000012
【図５ｃ】
2015532572.tif 000013
【図６】
2015532572.tif 000014
【図７】
2015532572.tif 000015
【国際調査報告】
2015532572.tif 000016
2015532572.tif 000017
2015532572.tif 000018
2015532572.tif 000019
2015532572.tif 000020
2015532572.tif 000021